(57)【要約】【課題】圃場での給排水を水栓装置により行わせる給排水計画の策定に関して自由度が高められるようにする。【解決手段】圃場管理端末と水栓装置とを備え、圃場管理端末に対する操作に応じて策定された給排水計画に従って水栓装置により給排水が行われるように制御が行われる圃場管理システムとして、圃場管理端末に対して行われる操作に応じて、一定または不定の時間間隔による給排水の実行タイミングを設定可能であり、設定された給排水の実行タイミングを含む給排水計画を策定する給排水計画策定部を備えて構成する。【選択図】図１１
2020162597.tif 000002
【特許請求の範囲】
【請求項１】
圃場管理端末と水栓装置とを備え、前記圃場管理端末に対する操作に応じて策定された給排水計画に従って前記水栓装置により給排水が行われるように制御が行われる圃場管理システムであって、
前記圃場管理端末に対して行われる操作に応じて、一定または不定の時間間隔による給排水の実行タイミングを設定可能であり、設定された給排水の実行タイミングを含む給排水計画を策定する給排水計画策定部
を備える圃場管理システム。
【請求項２】
前記給排水計画策定部は、暦における日にちを指定する操作に応じて、指定された日にちを給排水の実行タイミングとして設定する
請求項１に記載の圃場管理システム。
【請求項３】
前記給排水計画策定部は、週における曜日を指定する操作に応じて、指定された曜日を給排水の実行タイミングとして設定する
請求項１または２に記載の圃場管理システム。
【請求項４】
前記給排水計画策定部は、不定の時間間隔による給排水の実行タイミングの設定に加えて、さらに一定の時間間隔での給排水の実行タイミングを設定可能である
請求項１から３のいずれか一項に記載の圃場管理システム。
【請求項５】
圃場管理端末と水栓装置とを備え、前記圃場管理端末に対する操作に応じて策定された給排水計画に従って前記水栓装置により給排水が行われるように制御が行われる圃場管理システムにおける圃場管理端末であって、
操作に応じて、不定の時間間隔による給排水の実行タイミングを設定し、設定された給排水の実行タイミングを含む給排水計画を策定する給排水計画策定部
を備える圃場管理端末。
【請求項６】
圃場管理端末と水栓装置とを備え、前記圃場管理端末に対する操作に応じて策定された給排水計画に従って前記水栓装置により給排水が行われるように制御が行われる圃場管理システムにおける圃場管理端末としてのコンピュータを、
操作に応じて、一定または不定の時間間隔による給排水の実行タイミングを設定可能であり、設定された給排水の実行タイミングを含む給排水計画を策定する給排水計画策定部として機能させるためのプログラム。
【請求項７】
圃場管理端末と水栓装置とを備え、前記圃場管理端末に対する操作に応じて策定された給排水計画に従って前記水栓装置により給排水が行われるように制御が行われる圃場管理システムにおける圃場管理端末方法であって、
前記圃場管理端末に対して行われる操作に応じて、一定または不定の時間間隔による給排水の実行タイミングを設定可能であり、設定された給排水の実行タイミングを含む給排水計画を策定する給排水計画策定ステップ
を備える圃場管理方法。
【発明の詳細な説明】
【技術分野】
【０００１】
本発明は、圃場管理システム、圃場管理端末、プログラム及び圃場管理方法に関する。
【背景技術】
【０００２】
コンピュータにより水田の給水栓と排水栓との開閉を制御することで、水田における給排水管理を行うようにされた水管理システムが知られている（例えば、特許文献１参照）。
【先行技術文献】
【特許文献】
【０００３】
【特許文献１】特開２００１−１６１１９２号公報
【発明の概要】
【発明が解決しようとする課題】
【０００４】
上記のように水田等の圃場において給水栓や排水栓などの水栓装置を制御する圃場管理システムでは、例えば圃場管理者等のユーザが端末を操作することにより予め策定した給水または排水（給排水）に関する計画（給排水計画）に沿って、水栓装置の栓部の開閉を制御することも行われている。
現状では、例えば或る日を起点として、ユーザの操作によって指定された一定の日にち間隔（例えば、３日おき、４日おきといったように）で給排水が行われるようにして給排水計画を策定することが行われている。
【０００５】
所定日数おきで給排水が行われるようにすることは、１つの合理的な給排水のスケジュールである。しかしながら、作物の育成状態、気象、さらには、土地改良区が指定してきた給排水スケジュールの制約等の各種条件によっては、必ずしも一定の日にち間隔による給排水計画が適切ではない場合がある。
【０００６】
本発明は、このような事情に鑑みてなされたもので、圃場での給排水を水栓装置により行わせる給排水計画の策定に関して自由度が高められるようにすることを目的とする。
【課題を解決するための手段】
【０００７】
上述した課題を解決するための本発明の一態様は、圃場管理端末と水栓装置とを備え、前記圃場管理端末に対する操作に応じて策定された給排水計画に従って前記水栓装置により給排水が行われるように制御が行われる圃場管理システムであって、前記圃場管理端末に対して行われる操作に応じて、一定または不定の時間間隔による給排水の実行タイミングを設定可能であり、設定された給排水の実行タイミングを含む給排水計画を策定する給排水計画策定部を備える圃場管理システムである。
【０００８】
また、本発明の一態様は、圃場管理端末と水栓装置とを備え、前記圃場管理端末に対する操作に応じて策定された給排水計画に従って前記水栓装置により給排水が行われるように制御が行われる圃場管理システムにおける圃場管理端末であって、操作に応じて、一定または不定の時間間隔による給排水の実行タイミングを設定可能であり、設定された給排水の実行タイミングを含む給排水計画を策定する給排水計画策定部を備える圃場管理端末である。
【０００９】
また、本発明の一態様は、圃場管理端末と水栓装置とを備え、前記圃場管理端末に対する操作に応じて策定された給排水計画に従って前記水栓装置により給排水が行われるように制御が行われる圃場管理システムにおける圃場管理端末としてのコンピュータを、操作に応じて、一定または不定の時間間隔による給排水の実行タイミングを設定可能であり、設定された給排水の実行タイミングを含む給排水計画を策定する給排水計画策定部として機能させるためのプログラムである。
【００１０】
また、本発明の一態様は、圃場管理端末と水栓装置とを備え、前記圃場管理端末に対する操作に応じて策定された給排水計画に従って前記水栓装置により給排水が行われるように制御が行われる圃場管理システムにおける圃場管理端末方法であって、前記圃場管理端末に対して行われる操作に応じて、一定または不定の時間間隔による給排水の実行タイミングを設定可能であり、設定された給排水の実行タイミングを含む給排水計画を策定する給排水計画策定ステップを備える圃場管理方法である。
【発明の効果】
【００１１】
以上説明したように、本発明によれば、圃場での給排水を水栓装置により行わせる給排水計画の策定に関して自由度が高められるようになるという効果が得られる。
【図面の簡単な説明】
【００１２】
【図１】本実施形態における圃場管理システムの全体的な構成例を示す図である。
【図２】本実施形態における給水栓の機能構成例を示す図である。
【図３】本実施形態における排水栓の機能構成例を示す図である。
【図４】本実施形態における圃場管理サーバの機能構成例を示す図である。
【図５】本実施形態における水栓装置情報の一例を示す図である。
【図６】本実施形態における給排水計画情報の一例を示す図である。
【図７】本実施形態における圃場管理端末の機能構成例を示す図である。
【図８】本実施形態における定周期モード対応の給水計画策定ページの態様例を示す図である。
【図９】本実施形態における策定内容複写ページの態様例を示す図である。
【図１０】本実施形態における週周期モード対応の給水計画策定ページの態様例を示す図である。
【図１１】本実施形態におけるカレンダーモード対応の給水計画策定ページの態様例を示す図である。
【図１２】本実施形態における圃場管理端末が、操作に応じて給水日設定モードの切り替えを行うための処理手順例を示すフローチャートである。
【図１３】本実施形態における圃場管理端末が、定周期モードの給水計画策定ページが表示された状態で実行する給水計画策定処理の例を示すフローチャートである。
【図１４】本実施形態における圃場管理端末が、週周期モードの給水計画策定ページが表示された状態で実行する給水計画策定処理の例を示すフローチャートである。
【図１５】本実施形態における圃場管理端末が、カレンダーモードの給水計画策定ページが表示された状態で実行する給水計画策定処理の例を示すフローチャートである。
【発明を実施するための形態】
【００１３】
＜実施形態＞
以下、本発明の一実施形態による圃場管理システムについて図面を参照して説明する。
［圃場管理システムの全体構成例］
図１は、本実施形態における圃場管理システムの全体的な構成例を示している。本実施形態の圃場管理システムは、複数の圃場における給排水を管理する。
【００１４】
まず、同図を参照して、圃場管理システムが対応する圃場の給排水系について説明する。同図では、圃場管理システムが、１つの圃場ＦＭを管理対象とした例が示されている。本実施形態における圃場ＦＭは、例えば水田であり、稲作の時期に応じて、適切な水位となるように給水（灌漑）、排水が行われる。
本実施形態において、給排水とは給水栓としての水栓装置による給水と、排水栓としての水栓装置による排水との少なくともいずれか一方を指す。
【００１５】
同図の圃場ＦＭにおいては、３つの給水栓１００−１〜１００−３と、３つの排水栓２００−１〜２００−３が設置された例が示されている。
以降の説明にあたり、給水栓１００−１〜１００−３について特に区別しない場合には、給水栓１００と記載し、排水栓２００−１〜２００−３について特に区別しない場合には、排水栓２００と記載する。また、給水栓１００と排水栓２００とで特に区別しない場合には、水栓装置（１００、２００）と記載する。
【００１６】
なお、圃場ＦＭに設置される給水栓１００と排水栓２００の各数については特に限定されない。また、圃場ＦＭに設置される給水栓１００と排水栓２００の互いの数が同じでなくともよい。
【００１７】
給水栓１００は、それぞれ、パイプラインＰＬを経由してファームポンドＦＰから送られた用水を圃場ＦＭに供給する設備である。給水栓１００は、ファームポンドＦＰから送られた用水を圃場ＦＭに吐出するまでの流路（流水経路）において開閉する栓部（弁）を備えることで、ファームポンドＦＰから送られた用水を圃場ＦＭに供給する量が調節可能なようにされている。
【００１８】
また、排水栓２００は、圃場ＦＭに貯まっている水を排出させるための設備である。排水栓２００は、圃場ＦＭから引き揚げた水を例えばパイプラインに出すまでの流路において開閉する栓部（弁）を備えることで、排水量が調節可能なようにされている。
【００１９】
本実施形態における水栓装置（１００、２００）は、それぞれ、近距離無線通信が可能とされている。これにより、水栓装置（１００、２００）は、それぞれ、ゲートウェイＧＷと通信を行うことができる。この場合、１の水栓装置（１００、２００）は、ゲートウェイＧＷを介して、他の水栓装置（１００、２００）と通信可能なようにされてよい。
なお、１の水栓装置（１００、２００）は、例えばホップ通信によって、ゲートウェイＧＷを介在することなく、他の水栓装置（１００、２００）と通信可能とされてよい。
【００２０】
圃場ＦＭに対応する所定の位置にはゲートウェイＧＷが設置される。ゲートウェイＧＷは、水栓装置（１００、２００）とネットワークＮＴを接続する機能を有する。
上記のように、ゲートウェイＧＷは、水栓装置（１００、２００）のそれぞれと直接通信が可能に接続される。つまり、ゲートウェイＧＷと複数の水栓装置（１００、２００）とによるネットワークトポロジは、ハブとしてのゲートウェイＧＷに水栓装置（１００、２００がそれぞれ接続されるスター型である。
ネットワークＮＴには、ゲートウェイＧＷ、圃場管理サーバ５００、圃場管理端末６００、携帯端末７００、及び外部管理サーバ８００が接続されている。
【００２１】
本実施形態における水栓装置（１００、２００）が対応する近距離無線通信としては、例えば、ＬＰＷＡ（Low Power, Wide Area）の方式におけるＬｏＲａが採用されてよい。あるいは、Ｂｌｕｅｔｏｏｔｈ（登録商標）、無線ＬＡＮ（Local Area Network）、ＩＥＥＥ８０２．１１シリーズのＷｉ−Ｆｉ（登録商標）などの無線通信であってもよい。
【００２２】
圃場ＦＭでは、以下のように給水（灌漑）が行われる。圃場ＦＭに供給される用水は、まず、例えば河川ＲＶからパイプラインを経由してファームポンドＦＰに引かれ、ファームポンドＦＰにて貯留される。ファームポンドＦＰは、灌漑のための用水を貯留する池である。
ファームポンドＦＰに貯留された用水は、ポンプ（図示せず）によって汲み上げられ、圧力が加えられることによりパイプラインＰＬに供給される。同図の場合、パイプラインＰＬは３つの経路に分岐され、それぞれ、給水栓１００−１、１００−２、１００−３と接続されている。これにより、ファームポンドＦＰからパイプラインＰＬを経由して送られた用水は、給水栓１００−１、１００−２、１００−３にまで到達する。この際、給水栓１００−１、１００−２、１００−３の栓部が開状態であれば、給水栓１００−１、１００−２、１００−３から圃場に対して用水が供給され、灌漑が行われる。
【００２３】
なお、ポンプの稼働状況や、パイプラインＰＬ内を流れる用水の有無や流量、水圧を検知するために、ポンプが備える弁や配管、パイプライン等に、流量や水圧を検知するセンサを設けてよい。また、このように設けられたセンサは、無線または有線による通信を経由して、水圧や流量などについての検知情報を圃場管理サーバ５００や外部管理サーバ８００等に対して送信してもよい。
圃場管理サーバ５００や外部管理サーバ８００は、上記のようにセンサから送信される検知情報に基づいて、給水栓１００が接続されたパイプラインＰＬに用水が供給されているか否か等の用水供給状況を示す情報を給水計画策定ページや操作画面に表示させてよい。これにより、例えば圃場管理者が、パイプラインＰＬの用水供給状況も考慮して、給水計画の策定やリアルタイム性のある給水制御等を行うことができる。
【００２４】
また、圃場ＦＭにおいては、圃場管理システムによる給水制御に関連して、６つの水位センサ３００−１、３００−２、３００−３、３００−４、３００−５、３００−６が設置される。
以降の説明にあたり、水位センサ３００−１〜３００−６について特に区別しない場合には、水位センサ３００と記載する。
【００２５】
水位センサ３００は、それぞれ、設置された場所における水位を検出（測定）する。圃場の水位は、例えば圃場における位置ごとに異なっている。このため、１つの圃場に対応して１つの水位を求める場合には、圃場における複数の異なる位置にそれぞれ水位センサを配置し、各水位センサにより検出された水位に基づいて１つの代表的な水位を求めるようにすることが測定結果の信頼性を高めるという点で好ましい。本実施形態においては、このような観点から圃場ＦＭにおいて複数の水位センサ３００が設置されている。
【００２６】
水位センサ３００は、それぞれ、近距離無線通信により通信距離の範囲内に位置する水栓装置（１００、２００）と通信可能とされている。同図の例では、水位センサ３００−１〜３００−６は、それぞれ、圃場ＦＭにおいて給水栓１００−１〜１００−３、排水栓２００−１〜２００−３の近傍の位置に設置される。これにより、水位センサ３００−１〜３００−６のそれぞれは、検出した水位の情報を、給水栓１００−１〜１００−３、排水栓２００−１〜２００−３に送信することができる。そして、水栓装置（１００、２００）は、対応の水位センサ３００から受信した水位の情報を、ゲートウェイＧＷ経由で圃場管理サーバ５００に送信することができる。つまり、各水位センサ３００は、検出した水位の情報を、水栓装置（１００、２００）、ゲートウェイＧＷの中継を介して圃場管理サーバ５００に送信することができる。
【００２７】
なお、圃場ＦＭにおける水位センサ３００は、同図の例のように圃場ＦＭに設置される水栓装置（１００、２００）ごとに対応して、水栓装置（１００、２００）と同数が設置されなくともよい。つまり、圃場ＦＭにおける水位センサ３００の設置数は、水栓装置（１００、２００）の設置数より少なくてもよいし、多くてもよい。
水位センサ３００の設置数が水栓装置（１００、２００）の設置数より少ない場合には、水位センサ３００と通信しない水栓装置（１００、２００）があってもよい。また、水位センサ３００の設置数が水栓装置（１００、２００）の設置数より多い場合には、複数の水位センサ３００と通信する水栓装置（１００、２００）があってもよい。
圃場面積に対して水位センサ３００の数が所定以下の場合には、例えば、圃場管理サーバ５００が、水位センサ３００により検出された水位の情報を用いて演算を行うことにより、圃場ＦＭ全体の水位を推定してよい。
【００２８】
圃場管理サーバ５００は、圃場ＦＭに設置された各水位センサ３００から受信した水位の情報を利用して圃場ＦＭにおける水位を求め、求めた水位を圃場ＦＭの管理に利用することができる。
【００２９】
圃場管理サーバ５００は、圃場管理を行う。圃場管理サーバ５００が行う圃場管理には、水栓装置（１００、２００）を制御することによる給排水管理が含まれる。
また、圃場管理サーバ５００が行う圃場管理は、圃場ＦＭにて行われた農作業の履歴の管理が含まれてよい。また、圃場管理サーバ５００が行う圃場管理は、圃場ＦＭにおいて行われる農作業に関する作業者ＷＫへの指示を含む。
給排水管理にあたり、圃場管理サーバ５００は、ネットワークＮＴからゲートウェイＧＷを経由して圃場ＦＭにおける水栓装置（１００、２００）と通信を行うことにより、各水栓装置（１００、２００）における栓部の開閉を制御する。これにより、圃場管理サーバ５００は、圃場ＦＭごとに個別に給排水に関する制御を行うことができる。
【００３０】
圃場管理端末６００は、圃場ＦＭの圃場管理者（ユーザ）が、例えば事務所、自宅などで利用するネットワーク端末装置である。なお、圃場管理者は、ここでは圃場ＦＭの管理に応じて圃場管理端末６００を操作する者を指す。例えば圃場管理者が、圃場ＦＭにて作業する場合には、圃場管理者は作業者ＷＫとなる。即ち、圃場管理者と作業者ＷＫとは同じ人物であってもよい。
圃場管理端末６００は、圃場管理サーバ５００が提供する圃場管理サービスのウェブサイト（圃場管理サイト）に、圃場管理者のユーザアカウントによりログインする。圃場管理端末６００は、ログインによりアクセス可能となった圃場管理サイトに対する操作を行って、圃場管理サービスを利用することができる。
【００３１】
携帯端末７００は、圃場ＦＭで農作業を行う作業者ＷＫが利用する、携帯可能なネットワーク端末装置である。作業者ＷＫは、携帯端末７００を所持して圃場ＦＭにて作業を行う。
携帯端末７００は、例えばスマートフォン、タブレット端末などであってよい。携帯端末７００には、圃場管理に対応するアプリケーション（圃場管理アプリケーション）がインストールされている。
圃場管理アプリケーションが動作する携帯端末７００は、近距離無線通信により、圃場ＦＭにおいて通信距離の範囲内に位置するゲートウェイＧＷ、水栓装置（１００、２００）等と通信を行うことができる。携帯端末７００は、ゲートウェイＧＷとの直接接続、あるいは水栓装置（１００、２００）の中継を介するゲートウェイＧＷとの接続を経由して圃場管理サーバ５００と通信を行うことができる。
【００３２】
外部管理サーバ８００については、本実施形態の変形例に対応することから、ここでの説明は省略する。本実施形態において、外部管理サーバ８００は省略されてよい。
【００３３】
［給水栓の機能構成例］
図２は、給水栓１００の機能構成例を示している。同図の給水栓１００は、近距離無線通信部１０１、制御部１０２、記憶部１０３、流量調整機構部１０４、駆動部１０５、栓操作部１０６、及び電源部１０７を備える。
近距離無線通信部１０１は、近距離無線通信を行う。
【００３４】
制御部１０２は、給水栓１００における制御を実行する。制御部１０２としての機能は、例えば給水栓１００が備えるＣＰＵ（Central Processing Unit）がプログラムを実行することにより実現される。制御部１０２は、駆動制御部１２１、及び計時部１２２を備える。
駆動制御部１２１は、駆動部１０５による流量調整機構部１０４の駆動を制御する。
計時部１２２は、現在時刻（日時を含む）を計時する。
【００３５】
記憶部１０３は、給水栓１００に対応する情報を記憶する。同図の記憶部１０３は、水栓装置識別子記憶部１３１、位置情報記憶部１３２、及び圃場識別子記憶部１３３を記憶する。
水栓装置識別子記憶部１３１は、自己としての水栓装置（給水栓１００）を一意に示す識別子である水栓装置識別子を記憶する。
位置情報記憶部１３２は、自己の位置を示す位置情報を記憶する。位置情報記憶部１３２が記憶する位置情報は、圃場ＦＭにおける給水栓１００の設置位置を示すものとして扱われる。例えば圃場管理サイトでは、水栓装置（１００、２００）の位置を地図上でユーザが設定することのできる水栓装置位置設定用のウェブページを提供している。ユーザは、圃場管理端末６００を水栓装置位置設定用のウェブページにアクセスさせて、表示されたウェブページに対する操作により、実際の圃場ＦＭと同じ位置に水栓装置（１００、２００）を配置させる操作を行う。このような操作が行われることで、圃場管理サーバ５００は、水栓装置（１００、２００）ごとに、水栓装置識別子と地図上の位置とを対応付けた情報を記憶する。また、圃場管理サーバ５００は、圃場ＦＭに設置された水栓装置（１００、２００）のそれぞれに、対応の位置を示す位置情報を送信する。位置情報記憶部１３２は、このようにして圃場管理サーバ５００から送信された位置情報を記憶する。
圃場識別子記憶部１３３は、圃場ＦＭを一意に示す圃場識別子を記憶する。
【００３６】
流量調整機構部１０４は、給水栓１００における給水に関する機構部であり、パイプラインＰＬを経由して送られた用水を取り込んで圃場ＦＭに吐出させる流路と、流量を調節可能なようにして流路を開閉する栓部（弁）を備える。
【００３７】
駆動部１０５は、例えばモータなどを備え、駆動制御部１２１の制御に応じて、流量調整機構部１０４における栓部の開度を変更するようにして流量調整機構部１０４を駆動する。
また、流量調整機構部１０４における栓部は、手動による開閉（開度調整）も可能とされている。栓操作部１０６は、手動により流量調整機構部１０４における栓部を開閉する操作が行われる部位である。
【００３８】
電源部１０７は、近距離無線通信部１０１、制御部１０２、記憶部１０３及び駆動部１０５に電源を供給する。電源部１０７は、例えば太陽電池と蓄電池とを備え、日中において太陽電池により発電された電力を蓄電池に蓄積し、蓄電池に蓄積された電力を電源として上記の各部に供給するように構成される。
あるいは、電源部１０７は、２次電池または１次電池などの所定の規格の電池により電源を供給するようにされたうえで、電池の残量が少なくなった場合には電池を交換するようにして使用されるものであってもよい。
【００３９】
［排水栓の機能構成例］
図３は、排水栓２００の機能構成例を示している。同図の排水栓２００は、近距離無線通信部２０１、制御部２０２、記憶部２０３、流量調整機構部２０４、駆動部２０５、栓操作部２０６、及び電源部２０７を備える。
近距離無線通信部２０１は、近距離無線通信を行う。
【００４０】
制御部２０２は、排水栓２００における制御を実行する。制御部２０２としての機能は、例えば排水栓２００が備えるＣＰＵがプログラムを実行することにより実現される。制御部２０２は、駆動制御部２２１、及び計時部２２２を備える。
駆動制御部２２１は、駆動部２０５による流量調整機構部２０４の駆動を制御する。
計時部２２２は、現在時刻を計時する。
【００４１】
記憶部２０３は、排水栓２００に対応する情報を記憶する。同図の記憶部２０３は、水栓装置識別子記憶部２３１、位置情報記憶部２３２、及び圃場識別子記憶部２３３を記憶する。
水栓装置識別子記憶部２３１は、自己としての水栓装置（排水栓２００）を一意に示す識別子である水栓装置識別子を記憶する。
位置情報記憶部２３２は、自己の位置を示す位置情報を記憶する。位置情報記憶部２３２が記憶する位置情報は、水栓装置１００の位置情報記憶部１３２と同様に、例えば圃場管理サーバ５００から送信された位置情報であってよい。
圃場識別子記憶部２３３は、圃場ＦＭを一意に示す圃場識別子を記憶する。
【００４２】
流量調整機構部２０４は、排水栓２００における給水に関する機構部であり、圃場ＦＭから用水を取り込んで用水路に吐出させる流路と、流量を調節可能なようにして流路を開閉する栓部（弁）を備える。
【００４３】
駆動部２０５は、例えばモータなどを備え、駆動制御部２２１の制御に応じて、流量調整機構部２０４における栓部の開度を変更するようにして流量調整機構部２０４を駆動する。
また、流量調整機構部２０４における栓部は、手動による開閉（開度調整）も可能とされている。栓操作部２０６は、手動により流量調整機構部２０４における栓部を開閉する操作が行われる部位である。
【００４４】
電源部２０７は、近距離無線通信部２０１、制御部２０２、記憶部２０３及び駆動部２０５に電源を供給する。電源部２０７は、図２の電源部１０７同様の構成であってよい。
【００４５】
図２及び図３に示されるように、本実施形態の水栓装置（１００、２００）は、無線通信機能として、例えば近距離無線通信部２０１を備えるが、無線ＬＡＮや携帯電話通信網と接続可能な無線通信機能は備えない。これにより、水栓装置（１００、２００）における省電力化が図られる。
【００４６】
［圃場管理サーバの構成例］
図４は、圃場管理サーバ５００の機能構成例を示している。同図の圃場管理サーバ５００は、通信部５０１、制御部５０２、及び記憶部５０３を備える。
通信部５０１は、ネットワークＮＴ経由で通信を行う。
制御部５０２は、圃場管理サーバ５００における各種制御を実行する。制御部５０２としての機能は、圃場管理サーバ５００が備えるＣＰＵがプログラムを実行することにより実現される。
記憶部５０３は、圃場管理サーバ５００に関連する情報を記憶する。同図の記憶部５０３は、水栓装置情報記憶部５３１、給排水計画情報記憶部５３２、及びユーザ情報記憶部５３３を備える。
【００４７】
水栓装置情報記憶部５３１は、水栓装置情報を記憶する。
給排水計画情報記憶部５３２は、給排水計画情報を記憶する。給排水計画情報は、圃場ＦＭに配置される水栓装置（１００、２００）ごとの給排水計画を示す。給排水計画は、ユーザが、圃場管理端末６００によりログインした圃場管理サイトにおける給排水計画策定用のウェブページに対して各種の操作を行うことによって策定される。
ユーザ情報記憶部５３３は、圃場管理端末６００（及び携帯端末７００）のユーザに関する情報（ユーザ情報）を記憶する。
【００４８】
図５は、水栓装置情報記憶部５３１が記憶する水栓装置情報の一例を示している。同図の水栓装置情報は、例えば水栓装置（１００、２００）ごとの水栓装置情報がデータベース形式で格納される構造であり、１レコードが１つの水栓装置（１００、２００）に対応する。
１つの水栓装置（１００、２００）に対応する水栓装置情報は、圃場識別子、水栓装置識別子、水栓装置名、及び位置情報の領域を含む。
圃場識別子の領域は、対応の水栓装置（１００、２００）が設置された圃場ＦＭを一意に識別する圃場識別子を格納する。圃場識別子は、制御部５０２が、新規の圃場ＦＭに対応して水栓装置情報が新規に記憶される際に生成してよい。
水栓装置識別子の領域は、対応の水栓装置（１００、２００）を一意に識別する水栓装置識別子を格納する。水栓装置識別子は、新規の水栓装置（１００、２００）の設置に応じて水栓装置情報が新規に記憶される際に、制御部５０２が生成してよい。あるいは、水栓装置識別子は、例えば水栓装置（１００、２００）ごとに固有のＭＡＣアドレス、シリアルナンバ等に基づく値が使用されてもよい。
水栓装置名の領域は、対応の水栓装置（１００、２００）に付与された名称（水栓装置名）を格納する。水栓装置名は、圃場管理端末６００によりアクセスした、圃場管理サイトにおける水栓装置名設定のウェブページに対する水栓装置名の入力操作によって、ユーザにより任意に設定されてよい。
【００４９】
図６は、給排水計画情報記憶部５３２が記憶する給排水計画情報の一例を示している。同図の給排水計画情報は、例えば水栓装置（１００、２００）ごとの給排水計画情報がデータベース形式で格納される構造であり、１レコードが１つの水栓装置（１００、２００）に対応する。
１つの水栓装置（１００、２００）に対応する給排水計画情報は、水栓装置識別子と栓単位給排水計画情報の領域を含む。
水栓装置識別子の領域は、対応の水栓装置（１００、２００）を一意に識別する水栓装置識別子を格納する。
栓単位給排水計画情報の領域は、対応の水栓装置（１００、２００）について設定された給排水計画の情報（栓単位給排水計画情報）を記憶する。
【００５０】
［圃場管理端末の構成例］
図７は、圃場管理端末６００の機能構成例を示している。同図の圃場管理端末６００は、ネットワーク対応通信部６０１、制御部６０２、記憶部６０３、操作部６０４、及び表示部６０５を備える。
【００５１】
ネットワーク対応通信部６０１は、ネットワークＮＴに対応する通信を行う。
【００５２】
制御部６０２は、圃場管理端末６００における各種の制御を実行する。制御部６０２としての機能は、圃場管理端末６００が備えるＣＰＵがプログラムを実行することにより実現される。制御部６０２は、給排水計画策定部６２１を備える。給排水計画策定部６２１は、圃場管理端末６００がウェブブラウザ機能により圃場管理サイトにアクセスし、所定のウェブページが開かれた状態のもとで機能する。
【００５３】
給排水計画策定部６２１は、給排水タイミングを設定する圃場管理サイトのウェブページにアクセスしている圃場管理端末６００に対して行われる操作に応じて、給排水の実行タイミングを設定する。また、給排水計画策定部６２１は、設定された給排水の実行タイミングを含む給排水計画を策定する。
【００５４】
記憶部６０３は、圃場管理端末６００に対応する情報を記憶する。
操作部６０４は、圃場管理端末６００が備える操作デバイスを一括して示す。操作部６０４が備える操作デバイスには、例えばマウス、トラックパッド等のポインティングデバイス、キーボード等のほか、タッチパネルも含まれてよい。
表示部６０５は、制御部６０２の表示制御に応じて画像を表示する。
【００５５】
［給排水計画策定に関する操作例］  図８〜図１１を参照して、本実施形態の圃場管理端末６００を操作してユーザが行う、給排水計画策定のための操作例について説明する。ここでは、給排水計画として、給水栓１００についての給水計画を策定する場合を例に挙げる。
【００５６】
給水計画を策定しようとするユーザは、圃場管理端末６００により圃場管理サイトにログインするための操作を行う。ログインが行われると、圃場管理端末６００の表示部６０５には、例えば圃場管理サイトのトップページが表示される。ユーザは、トップページから給水計画策定のための操作画面となるウェブページ（給水計画策定ページ）の表示に遷移させるための操作を行う。
【００５７】
図８は、表示部６０５に表示される給水計画策定ページの態様例を示している。同図の給水計画策定ページにおいては、給水日設定モード選択ボタンＢＴ１−１、ＢＴ１−２、及びＢＴ１−３が配置されている。給水日設定モード選択ボタンＢＴ１−１、ＢＴ１−２、及びＢＴ１−３について特に区別しない場合には、給水日設定モード選択ボタンＢＴ１と記載する。給水日設定モード選択ボタンＢＴ１は、それぞれ、対応の給水日設定モードを選択する際に操作されるボタンである。
【００５８】
給水日設定モード選択ボタンＢＴ１−１は、給水が行われる日（給水日（給排水の実行タイミングの一例））として、一定間隔ごとの日を設定可能な給水日設定モード（定周期モード）を選択する際に操作されるボタンである。
給水日設定モード選択ボタンＢＴ１−２は、週単位による周期のもとで、週において１以上の曜日を指定するようにして給水日を設定可能な給水日設定モード（週周期モード）を選択する際に操作されるボタンである。
給水日設定モード選択ボタンＢＴ１−３は、給水日として、例えば月単位のカレンダー（暦）から、日にちを指定するようにして給水日を設定可能な給水日設定モード（カレンダーモード）を選択する際に操作されるボタンである。
給水日設定モード選択ボタンＢＴ１−１、ＢＴ１−２、及びＢＴ１−３が操作されることに応じては、以下に説明するように、対応の給水日設定モードでの給水計画パラメータの設定が可能なように給水計画策定ページの表示が切り替わる。しかしながら、給水日設定モード選択ボタンＢＴ１−１、ＢＴ１−２、及びＢＴ１−３は、給水計画策定ページの切り替えにかかわらず、操作が可能な状態で定常的に表示される。
【００５９】
同図では、給水日設定モード選択ボタンＢＴ１のうち、給水日設定モード選択ボタンＢＴ１−１が強調表示されている。つまり、同図は、給水日設定モード選択ボタンＢＴ１−１が操作されたことに応じて、給水日設定モードとして、定周期モードが選択されている場合に対応する態様の給水計画策定ページ（定周期モード対応の給水計画策定ページ）が表示された状態が示されている。
なお、ここでは、ログイン後において最初に給水計画策定ページが表示された際にも、デフォルトとして、同図と同様の定周期モード対応の給水計画策定ページが表示されるようになっている場合を例に挙げる。
【００６０】
また、同図に示される定周期モード対応の給水計画策定ページにおいては、水栓装置選択エリアＡＲ１１、日にち間隔設定エリアＡＲ１２、開始日設定エリアＡＲ１３、開始時刻設定エリアＡＲ１４、カレンダーエリアＡＲ１５、給水時間設定エリアＡＲ１６、開度設定エリアＡＲ１７が配置されている。
【００６１】
水栓装置選択エリアＡＲ１１は、給水計画の策定対象とする水栓装置（ここでは、給水栓１００）を選択する操作が行われる領域である。同図の例では、水栓装置選択エリアＡＲ１１はプルダウンメニューとなっている。ユーザは、水栓装置選択エリアＡＲ１１においてプルダウンメニューを開き、開かれたプルダウンメニューにおいて提示される給水栓１００の名称（水栓装置名）を確認しながら、策定対象の給水栓１００を選択することができる。選択操作の後は、水栓装置選択エリアＡＲ１１において選択された給水栓１００の水栓装置名が表示される。
このように策定対象の給水栓１００が設定されることに応じて、策定対象の給水栓１００の水栓装置識別子が特定されることになる。
【００６２】
日にち間隔設定エリアＡＲ１２は、策定対象の給水栓１００の給水日として、日単位で何日おきの間隔とするのかを設定（指定）する操作が行われる領域である。
日にち間隔設定エリアＡＲ１２は、プルダウンメニューとなっている。ユーザは、日にち間隔設定エリアＡＲ１２においてプルダウンメニューを開き、開かれたプルダウンメニューにおいて提示される日にち間隔の数値を選択する操作を行うことで、日にち間隔を設定することができる。日にち間隔の数値を選択する操作が行われた後においては、日にち間隔設定エリアＡＲ１２には、選択された日にち間隔の数値が表示される。
【００６３】
開始日設定エリアＡＲ１３は、日にち間隔設定エリアＡＲ１２により設定された日にち間隔ごとによる給水日のもとで、給水を開始する日（給水開始日）を設定する操作が行われる領域である。
開始日設定エリアＡＲ１３における右端にはカレンダー表示ボタンが配置されている。ユーザは、カレンダー表示ボタンを操作して、給水計画策定ページの画面上にてカレンダーを重畳して表示させる（あるいは、カレンダーエリアＡＲ１５が操作可能な状態となってもよい）。ユーザは、表示されたカレンダーから給水開始日としたい日付を指定する操作を行う。日付を指定する操作が行われたことに応じて、カレンダーが消去され、開始日設定エリアＡＲ１３には、カレンダーで指定された日付が、給水開始日の設定結果として表示される。なお、日付の指定は、例えば開始日設定エリアＡＲ１３の日付が表示されているエリアに対する文字入力操作によって日付を入力することで行われるようにされてもよい。
【００６４】
開始時刻設定エリアＡＲ１４は、日にち間隔設定エリアＡＲ１２により設定された日にち間隔ごとにおける給水開始時刻を設定する操作が行われる領域である。
開始時刻設定エリアＡＲ１４は、時間と分とがそれぞれプルダウンメニューとなっている。ユーザは、順次、それぞれのプルダウンメニューを開き、開かれたプルダウンメニューにおいて提示される時間、分の数値を選択する操作を行うことで、開始時刻を設定することができる。時間、分の数値を選択する操作が行われた後は、開始時刻設定エリアＡＲ１４には、選択された時間、分による給水開始時刻が表示される。
【００６５】
カレンダーエリアＡＲ１５には、例えば設定された給水開始日の日付が強調表示される。また、カレンダーエリアＡＲ１５には、例えば給水開始日を含み、設定された日にち間隔に対応する給水日が示されてもよい。
【００６６】
給水時間設定エリアＡＲ１６は、給水時間を設定する操作が行われる領域である。給水時間は、給水開始時刻から給水が継続される時間である。つまり、１回の給水は、給水開始時刻から開始され、給水開始時刻から給水時間を経過したタイミングで終了される。
給水時間設定エリアＡＲ１６は、プルダウンメニューとなっている。ユーザは、プルダウンメニューを開き、例えば、開かれたプルダウンメニューにおいて提示される、所定の時間間隔による給水時間の選択肢のうちから、１つの給水時間を選択する操作を行うことで、給水時間を設定することができる。給水時間を選択する操作が行われた後は、給水時間設定エリアＡＲ１６には、選択された給水時間が表示される。
【００６７】
開度設定エリアＡＲ１７は、給水が行われている際の給水栓１００の栓部の開度を設定する操作が行われる領域である。
開度設定エリアＡＲ１７は、プルダウンメニューとなっている。ユーザは、プルダウンメニューを開き、例えば、開かれたプルダウンメニューにおいて提示される、開度についての段階を示す数値（段階値）のうちから、１つの開度の段階値を選択する操作を行うことで、開度を設定することができる。開度を選択する操作が行われた後は、開度設定エリアＡＲ１７には、選択された開度の段階値が表示される。
【００６８】
ユーザは、定周期モード対応の給水計画策定ページが表示された状態のもとで、水栓装置選択エリアＡＲ１１、日にち間隔設定エリアＡＲ１２、開始日設定エリアＡＲ１３、開始時刻設定エリアＡＲ１４、給水時間設定エリアＡＲ１６、開度設定エリアＡＲ１７に対してそれぞれ操作を行うことで、それぞれのエリアに対応する給水計画パラメータを設定する。
そのうえで、ユーザは、これまでに設定した給水計画パラメータ（水栓装置識別子、日にち間隔、給水開始日、給水開始時刻、給水時間、開度等）により、対象の給水栓１００の給水計画の内容を確定させたい場合には、更新ボタンＢＴ２を操作する。
【００６９】
更新ボタンＢＴ２が操作されたことに応じて、圃場管理端末６００は、ウェブブラウザ機能により、設定された給水計画パラメータを含む給水計画策定要求を、圃場管理サーバ５００に送信する。
圃場管理サーバ５００は、受信された給水計画策定要求に含まれる給水計画パラメータを用いて、策定対象の給水栓１００に対応する栓単位給排水計画情報を作成し、給排水計画情報記憶部５３２に記憶されている、同じ給水栓１００に対応付けられた栓単位給排水計画情報を、今回作成した栓単位給排水計画情報により更新する。なお、同じ給水栓１００に対応付けられた栓単位給排水計画情報が記憶されていなかった場合には、圃場管理サーバ５００は、今回作成した栓単位給排水計画情報を、給排水計画情報記憶部５３２に新規に記憶させてよい。
【００７０】
また、図８の定周期モード対応の給水計画策定ページにおいては、ページ戻しボタンＢＴ３−１とページ送りボタンＢＴ３−２とが配置されている。ページ戻しボタンＢＴ３−１が操作された場合には、当該給水計画策定ページの前に表示されていた圃場管理サイトのページに移動する。ページ送りボタンＢＴ３−２が操作された場合には、当該給水計画策定ページに戻る前に表示されていた圃場管理サイトのページに移動する。
【００７１】
さらに、本実施形態においては、上記のように給水計画策定ページに対する操作によって設定した１つの給水栓１００についての給水計画の策定内容（日にち間隔、給水開始日、給水開始時刻、給水時間、開度等の給水計画パラメータの設定値）を、他の給水栓１００の設定内容として複写する操作が可能とされている。
例えば、ユーザが、上記のようにして１つの給水栓１００に対して設定した給水計画の策定内容を、他の給水栓１００にも複写させようとする場合には、図８の定周期モード対応の給水計画策定ページにおける右下に配置されている複写ボタンＢＴ４に対する操作を行う。
【００７２】
複写ボタンＢＴ４に対する操作が行われたことに応じて、図８の定周期モード対応の給水計画策定ページは、策定内容複写ページに遷移する。
図９は、策定内容複写ページの一態様例を示す図である。同図の策定内容複写ページにおいては、複写元の水栓装置名（この場合は「給水栓名」として表示されている）が示されている。また、複写元の給水栓１００を含み、例えば同じ圃場ＦＭに設置されている複写候補の給水栓名が表示されている。給水栓名のそれぞれに対応させて、チェックボックスＣＢが配置されている。複写元の給水栓１００については、初期表示の段階からチェックボックスＣＢにチェックが付されている。
ユーザは、複写候補として表示されている複写元以外の給水栓名のうちから、複写先とする給水栓名を選択する操作として、チェックボックスＣＢにチェックを付す操作を行うことができる。また、一括選択ボタンＢＴ２１を操作することによっては、複写元以外の給水栓名の全てに対応するチェックボックスＣＢに対して一括でチェックを付したり、チェックを外したりすることができる。
ユーザは、複写先とする給水栓名のチェックボックスＣＢにチェックを付すと、複写実行ボタンＢＴ２２を操作する。
複写実行ボタンＢＴ２２が操作されたことに応じて、圃場管理端末６００は、複写元の給水栓１００について設定された給水計画パラメータと、複写先として選択された給水栓１００の給水栓識別子とを含む給水計画複写要求を、圃場管理サーバ５００に送信する。
圃場管理サーバ５００は、受信された給水計画複写要求に含まれる、複写元の給水栓１００の給水計画パラメータを用いて、複写先の給水栓１００ごとに対応する栓単位給排水計画情報を作成し、給排水計画情報記憶部５３２に記憶されている、同じ給水栓１００ごとに対応付けられた栓単位給排水計画情報を、今回作成した栓単位給排水計画情報により更新する。
このようにして、本実施形態では、１つの給水栓１００について設定した栓単位給排水計画の策定内容を、他の１以上の給水栓１００に対しても複写するようにして設定することができる。
【００７３】
なお、上記の給水計画の策定内容の複写は、複写元と複写先の水栓装置とが同じ圃場ＦＭに設置されている場合を例に挙げた。給水計画の策定内容の複写は、複写元の水栓装置が備えられているのとは異なる圃場ＦＭに設置される水栓装置を複写先として行えるようにされてよい。
この場合の複写のための操作手順としては一例として以下のようなものであってよい。策定内容複写ページは、例えば同じ圃場管理者が管理する複数の圃場ＦＭのうちから複写先の水栓装置の設置された圃場ＦＭを選択する操作を行うことが可能とされている。圃場ＦＭの選択は、例えば策定内容複写ページにおいて表示された圃場ＦＭのリストのうちから任意の圃場ＦＭを選択するという操作により行えるようにされてよい。あるいは、圃場ＦＭの選択は、選択候補の複数の圃場ＦＭを含むエリアの地図から任意の圃場ＦＭを選択するという操作により行えるようにされてよい。
ユーザが圃場ＦＭを選択する操作を行ったことに応じて、策定内容複写ページにおいては、選択された圃場ＦＭにおいて配置される水栓装置のリストが表示される。水栓装置のリストにおいては例えば水栓装置ごとにチェックボックスが配置されている。また、リストの初期表示のもとでは、水栓装置ごとに対応する全てのチェックボックスにチェックが付されている状態である。
ユーザは、水栓装置のリストのうちで、複写先とする水栓装置のチェックボックスにはチェックが付され、複写先としない水栓装置のチェックボックスにはチェックが付されない状態となるように、チェックボックスに対する操作を行う。そのうえで、ユーザは、複写の実行を指示する操作を行うようにされる。
【００７４】
また、図１０は、給水計画策定ページにおける給水日設定モード選択ボタンＢＴ１のうち、給水日設定モード選択ボタンＢＴ１−２が強調表示された状態となっている。つまり、同図は、給水日設定モード選択ボタンＢＴ１−２が操作されたことで、週周期モードとしての給水日設定モードに応じた給水計画策定ページ（週周期モード対応の給水計画策定ページ）が表示された状態が示されている。
なお、同図において、図８と同一部分には、同一符号を付して説明を省略する。
【００７５】
このように給水計画策定ページが週周期モード対応とされた場合、給水計画策定ページにおいては、水栓装置選択エリアＡＲ１１、曜日設定エリアＡＲ２１、開始日設定エリアＡＲ１３、開始時刻設定エリアＡＲ１４、カレンダーエリアＡＲ１５、給水時間設定エリアＡＲ１６、開度設定エリアＡＲ１７が配置される。つまり、図８の定周期モード対応の給水計画策定ページとの比較では、日にち間隔設定エリアＡＲ１２が曜日設定エリアＡＲ２１に置き換わって配置された態様となっている。
このような、週周期モード対応の給水計画策定ページにおいても、ユーザが、１の給水栓を対象として行う給水計画策定のための操作としては、図８の場合と同様でよい。ただし、同図の週周期モード対応の給水計画策定ページの場合、ユーザは、給水が行われる日付（給水日）として、日にち間隔を設定するのではなく、曜日設定エリアＡＲ２１に対する操作によって１週間における７つの曜日のうちから、任意の１以上の曜日を選択する。同図の例では、曜日設定エリアＡＲ２１においては、７つの曜日ごとに対応する７つの曜日ボタンが配置された態様となっている。ユーザは、曜日ボタンをタップする操作を行うことで、給水を行う曜日の選択、選択解除を行うことができる。なお、曜日設定エリアＡＲ２１における曜日選択としては、例えばプルダウンメニューからの選択など、他の態様が採られてよい。
この場合、開始日設定エリアＡＲ１３に対する操作により設定する開始日は、曜日設定エリアＡＲ２１に対する操作に応じて設定された曜日に該当する日付のうちから選択されるようにしてよい。
【００７６】
なお、上記のように週周期モードに対応する給水計画を設定する操作を行った当日（給水計画設定日）が設定の曜日に該当し、かつ、開始日として給水計画設定日が設定されている場合においては以下のような事象が生じる場合がある。つまり、給水開始時刻について、給水計画の設定が確定されたときの時刻（設定時刻）よりも前の時刻を設定した場合、給水計画設定日の当日においては、すでに給水開始時刻を経過してしまっているという事象が生じ得る。
このような事象が生じた場合における当日の給水に関しては、例えば以下のようにいつくかの対応をとることができる。
１つには、給水計画設定日の当日については給水を行わないようにしてよい。この場合には、例えばユーザに向けて、給水開始時刻が現時刻より前であるためエラーとなって給水が行われない旨が圃場管理端末６００や携帯端末７００にて通知されるようにしてよい。
また、１つには、給水計画設定日の当日に限っては、給水開始時刻に関わらず、設定時刻以降において、設定された給水時間による給水が行われるようにしてよい。
また、１つには、給水計画設定日の当日については、設定された給水開始時刻と給水時間に対応して定まる給水時間帯に設定時刻が含まれている場合には、設定時刻から給水時間帯の終了する時刻まで給水が行われるようにされてよい。
【００７７】
また、図１１は、給水計画策定ページにおける給水日設定モード選択ボタンＢＴ１のうち、給水日設定モード選択ボタンＢＴ１−３が強調表示された状態となっている。つまり、同図は、給水日設定モード選択ボタンＢＴ１−３が操作されたことで、カレンダーモードとしての給水日設定モードに応じた給水計画策定ページ（カレンダーモード対応の給水計画策定ページ）が表示された状態が示されている。
なお、同図において、図８、図１０と同一部分には、同一符号を付して説明を省略する。
【００７８】
このように給水計画策定ページがカレンダーモード対応とされた場合、給水計画策定ページにおいては、水栓装置選択エリアＡＲ１１、日付選択エリアＡＲ３１、追加ボタンＢＴ１１、削除ボタンＢＴ１２、開始時刻設定エリアＡＲ１４、カレンダーエリアＡＲ１５、給水時間設定エリアＡＲ１６、開度設定エリアＡＲ１７が配置されている。
【００７９】
このようなカレンダーモード対応の給水計画策定ページにおいては、ユーザは、水栓装置選択エリアＡＲ１１に対する操作により策定対象の給水栓１００を選択したうえで、日付選択エリアＡＲ３１に対する操作によって、給水日として任意の年月日による日付を選択することができる。
【００８０】
日付選択エリアＡＲ３１における右端にはカレンダー表示ボタンが配置されている。ユーザは、カレンダー表示ボタンを操作して、給水計画策定ページの画面上にてカレンダーを重畳して表示させる（あるいは、カレンダーエリアＡＲ１５が操作可能な状態となってもよい）。ユーザは、表示されたカレンダーから、給水日としたい日付（年月日により特定される日付である）を選択する操作を行う。日付を選択する操作が行われたことに応じて、日付選択エリアＡＲ３１には、カレンダーから選択された日付が表示される。この段階では、日付選択エリアＡＲ３１にて表示されている日付は、仮設定の状態である。
【００８１】
上記のように、選択された日付が日付選択エリアＡＲ３１において表示された状態のもとで、ユーザは、追加ボタンＢＴ１１を操作することができる。追加ボタンＢＴ１１が操作されると、日付選択エリアＡＲ３１において表示された日付が給水日として設定され、カレンダーエリアＡＲ１５においては、その日付が強調表示されることで給水日として設定されたことが反映される。このように、カレンダーモード対応の給水計画策定ページでは、給水日として年月日による日付が具体的に指定されるため、特に周期性は有さない。このため、カレンダーモード対応の給水計画策定ページでは、開始日設定エリアＡＲ１３は配置されていない。
【００８２】
また、一旦、給水日として設定された日付を削除したい場合、ユーザは、削除ボタンＢＴ１２を操作するようにされる。例えば、ユーザは、日付選択エリアＡＲ３１に対する操作により削除対象の日付を選択したうえで、削除ボタンＢＴ１２を操作するようにされてよい。
【００８３】
また、カレンダーモード対応の給水計画策定ページにおける、開始時刻設定エリアＡＲ１４、給水時間設定エリアＡＲ１６、開度設定エリアＡＲ１７の操作により開始時刻、給水時間、開度の設定が可能とされている。カレンダーモード対応の給水計画策定ページでの開始時刻、給水時間、開度は、設定された１以上の日付に共通に設定されてもよいし、設定された１以上の日付ごとに個別に設定されてもよい。
【００８４】
なお、上記のようにカレンダーモードに対応する給水計画を設定する操作を行った給水計画設定日のうちに開始日が含まれている場合においても以下のような事象が生じる場合がある。つまり、給水開始時刻について、給水計画の設定が確定されたときの時刻（設定時刻）よりも前の時刻を設定した場合には、給水計画設定日の当日においては、すでに給水開始時刻を経過してしまっている、という事象が生じ得る。
このような事象が生じた場合における当日の給水に関しては、前述の週周期モードの場合と同様の対応がとられてよい。
【００８５】
なお、定周期モード、週周期モード、カレンダーモードのいずれの場合であってもよいが、給水計画策定ページにおいて現時刻に対応して測定された圃場ＦＭの水位が所定の態様で表示されるようにしてよい。また、過去における同時期の圃場ＦＭの水位が表示されるようにしてもよい。
【００８６】
このようにして、本実施形態においては、一定の日にち間隔による給水日の設定が行われる定周期モードと、週における曜日による給水日の設定が行われる週周期モードと、年月日で表される日付による給水日の設定が行われるカレンダーモードとのうちから、任意の給水日設定モードを選択して、給水日を設定可能とされている。
ここで、週周期モードでの週における曜日による給水日の設定は、必ずしも、給水日の時間間隔が一定にはなるものではない。例えば、週における月曜日と水曜日とを給水日として設定した場合、月曜日と水曜日とで同じ開始時刻を設定していても、順次給水が開始される時間間隔は一定ではなくなる。同様に、カレンダーモードでの給水日の設定も、必ずしも、給水日の時間間隔が一定にはなるものではない。つまり、本実施形態においては、給水日の設定にあたり、一定の間隔の日にちあるいは時間により設定することが可能とされるとともに、不定間隔で設定することも可能とされている。
これにより、例えば、作物の育成状態、気象、農薬や肥料の使用スケジュールなどの都合で、一定間隔の日にちで給水日を設定することが好ましくない場合には、週周期モードやカレンダーモードにより不定周期で給水日を柔軟に設定して対応することができる。
また、土地改良区等の事業者は、管理下にある複数の圃場ごとに、給水が可能な日にち、期間、時間帯等（給水許可時期）を割り振るようにして指定し、給水許可時期以外は給水を行わないように指示する場合がある。圃場ＦＭについてこのような給水許可時期が割り当てられている場合、一定間隔の日にちで給水日を設定するだけでは、給水許可時期を遵守できない可能性がある。本実施形態であれば、このような場合であっても、週周期モードやカレンダーモードにより不定周期で給水日を設定することで、給水許可時期の遵守と、圃場主の意図の反映とを両立させた給水計画とすることができる。
このように、本実施形態によっては、圃場ＦＭでの給水を給水栓１００により行わせる給水計画の策定に関して自由度が高められている。
【００８７】
なお、週周期モード対応の給水計画策定ページにおいては、給水日として設定された日を含む週の気象に関する情報（例えば天気予報、気温等）が表示されるようにしてよい。この際、例えば曜日ごとに気象の情報が表示されるようにしてよい。
また、カレンダーモード対応の給水計画策定ページにおいては、給水日として設定された日付に対応させて気象に関する情報が表示されるようにしてもよい。
また、気象に関する情報の表示においては、例えば、雨量や気温の高低を色分けやイラスト等により表示して、ユーザが感覚的に把握可能なようにしてもよい。
また、いずれのモードであるのかについて特に限定されることなく、給水計画策定ページにおいて、作業予定（農薬散布、肥料散布、草むしり、収穫など）や土地改良区が指定してきた給水許可期間または給水不許可期間などのスケジュールも表示されてよい。
さらに、例えば給水日として設定された日が雨の予報であるような場合には、圃場管理端末６００や携帯端末７００にて、その旨を警告するための報知がユーザに向けて行われるようにされてよい。
【００８８】
また、圃場管理端末６００や携帯端末７００にて、例えば給水又は排水を終了させる給排水終了時刻（目標時刻：給排水開始時刻から給排水時間を経過した時刻）に到達したことに応じた警告（報知）が行われるようにされてよい。この際には、対応の給水栓１００に対応する水位センサ３００により検出されている水位（検出水位）がともに報知されてよい。このように報知が行われることで、ユーザは、給排水終了時刻における圃場ＦＭの水位が目標水位到達からどの程度乖離しているのかを把握できる。例えば、検出水位が目標水位から相当に乖離している場合には、なんらかの異常が発生している可能性が高いことから、ユーザは、異常の発生に即座に対応できる。
また、圃場管理端末６００や携帯端末７００にて、例えば給排水終了時刻に至った際に、目標水位に対する検出水位の乖離が一定以上である場合には、計画通りに給排水が行われたことを報知し、乖離が一定より越えている場合には給排水が計画通りではない旨を報知するようにされてよい。
また、圃場管理端末６００や携帯端末７００にて、給排水終了時刻に至る前に目標水位となった場合や検出水位の目標水位に対する差分が一定以内となった場合に、ユーザに次の作業を促す旨の報知を行うようにされてもよい。
また、例えば圃場管理サーバ５００等が、給排水開始時刻、検出水位、天候等の情報に基づいて目標水位に到達することが予想される時刻（予想時刻）を算出し、上記の給排水終了時刻（目標時刻）の代わりに用いて予想時刻やその前後の時刻に各種警告、報知を行ってもよい。
【００８９】
上記のように例示した各種の報知は、圃場管理サーバ５００が、報知が行われるべき所定のタイミングで、圃場管理端末６００や携帯端末７００等の農家（圃場管理者や作業者等）の端末に報知の情報を送信することで行われる。この場合の圃場管理サーバ５００による報知の送信は、例えば電子メールの送信として行われてもよいし、圃場管理端末６００や携帯端末７００等にインストールされた圃場管理用のアプリケーション上で報知が行われるようにための情報の送信であってもよい。
あるいは、上記各種の報知は、圃場管理サーバ５００が報知すべき情報を保持（記憶）するようにされたうえで、圃場管理端末６００や携帯端末７００で動作するブラウザあるいは圃場管理用のアプリケーションにより圃場管理サーバ５００へのアクセスが行われたことに応じて、ブラウザや圃場管理用のアプリケーション上で行われるようにされてもよい。
あるいは、気象の情報や圃場ＦＭ等に設けられた各種センサにて検出された情報等のように圃場管理サーバ５００が取得する情報については、圃場管理サーバ５００と並行して、圃場管理端末６００や携帯端末７００にも、電子メールあるいは圃場管理用のアプリケーション上で報知される情報等として送信されるようにしてよい。
【００９０】
［処理手順例］
図１２のフローチャートは、圃場管理端末６００が、給水日設定モード選択ボタンＢＴ１の操作に応じて、給水日設定モード（定周期モード、週周期モード、カレンダーモード）の切り替えを行うための処理手順例を示している。
ステップＳ１０１：圃場管理端末６００の給排水計画策定部６２１は、例えば、圃場管理サイトにログインしたうえで、給水計画策定ページへの遷移のための操作が行われたことに応じて、表示部６０５における給水計画策定ページの表示を開始する。ここでは、このように表示が開始される際は、デフォルトとして、定周期モードに対応する給水計画策定ページが表示される場合を例に挙げる。
【００９１】
ステップＳ１０２：いずれかの給水日設定モードに対応する給水計画策定ページが表示されている状態のもとで、給排水計画策定部６２１は、給水日設定モードを選択する操作が行われたか否かについて判定する。給水日設定モードを選択する操作は、給水日設定モード選択ボタンＢＴ１−１、ＢＴ１−２、及びＢＴ１−３のいずれかに対する操作である。
【００９２】
ステップＳ１０３：ステップＳ１０２により給水日設定モードを選択する操作が行われたことが判定された場合、給排水計画策定部６２１は、操作により選択された給水日設定モードに対応の給水計画策定ページの表示に切り替える。
【００９３】
ステップＳ１０４：ステップＳ１０２にて給水日設定モードを選択する操作が行われなかったと判定された場合、もしくはステップＳ１０３の処理の後、給排水計画策定部６２１は、現在において表示されている給水計画策定ページに対して行われる操作に応じて、給水計画策定処理を実行する。ステップＳ１０４の処理の後は、ステップＳ１０２に処理が戻される。
同図の処理は、例えば給水計画策定ページ以外のページに遷移させるための操作が行われるなどして、給水計画策定ページの表示が終了されることに応じて、終了されてよい。
【００９４】
図１３のフローチャートは、ステップＳ１０４の給水計画策定処理として、定周期モードの給水計画策定ページが表示された状態での給水計画策定処理の例を示している。
ステップＳ２０１：給排水計画策定部６２１は、水栓装置選択エリアＡＲ１１に対して行われる、給水栓選択の操作（給水栓選択操作）に応じて、策定対象の給水栓を設定する。
【００９５】
ステップＳ２０２：給排水計画策定部６２１は、日にち間隔設定エリアＡＲ１２に対して行われる、日にち間隔を選択する操作（日にち間隔選択操作）に応じて、選択された日にち間隔を、給水計画パラメータにおける日にち間隔パラメータとして設定する。
【００９６】
ステップＳ２０３：給排水計画策定部６２１は、開始日設定エリアＡＲ１３に対して行われる、開始日を選択する操作（開始日選択操作）に応じて、選択された開始日を、給水計画パラメータにおける開始日パラメータとして設定する。
【００９７】
ステップＳ２０４：給排水計画策定部６２１は、開始時刻設定エリアＡＲ１４に対して行われる、開始時刻を選択する操作（開始時刻選択操作）に応じて、選択された開始時刻を、給水計画パラメータにおける開始時刻パラメータとして設定する。
【００９８】
ステップＳ２０５：給排水計画策定部６２１は、給水時間設定エリアＡＲ１６に対して行われる、給水時間を選択する操作（給水時間選択操作）に応じて、選択された給水時間を、給水計画パラメータにおける給水時間パラメータとして設定する。
【００９９】
ステップＳ２０６：給排水計画策定部６２１は、開度設定エリアＡＲ１７に対して行われる、開度を選択する操作（開度選択操作）に応じて、選択された開度を、給水計画パラメータにおける開度パラメータとして設定する。
【０１００】
ステップＳ２０７：給排水計画策定部６２１は、更新ボタンＢＴ２に対する操作（更新指示操作）が行われたか否かについて判定する。更新指示操作の行われないことが判定された場合には、ステップＳ２０１に処理が戻される。
【０１０１】
ステップＳ２０１〜Ｓ２０６の処理は、対応のエリアに対する操作が行われない場合には省略される。また、ステップＳ２０１〜Ｓ２０６間での処理順も、ユーザが、操作したエリアの順に応じて適宜変更されるものである。
【０１０２】
ステップＳ２０８：更新ボタンＢＴ２に対する操作（更新指示操作）が行われた場合、給排水計画策定部６２１は、現在において設定されている、日にち間隔パラメータ、開始日パラメータ、開始時刻パラメータ、給水時間パラメータ、開度パラメータを含む給水計画パラメータを生成する。給排水計画策定部６２１は、現在において策定対象として設定されている給水栓１００の水栓装置識別子に、生成された給水計画パラメータを対応付けて、栓単位給排水計画情報を生成する。給排水計画策定部６２１は、生成された栓単位給排水計画情報を圃場管理サーバ５００に送信する。
【０１０３】
圃場管理サーバ５００は、受信された栓単位給排水計画情報を、給排水計画情報記憶部５３２に記憶させる。圃場管理サーバ５００は、以降において、給排水計画情報記憶部５３２に記憶された栓単位給排水計画情報に基づいて、対応の給水栓１００の栓部の開閉動作の制御を行う。
【０１０４】
同図の処理は、現在の定周期モード対応の給水計画策定ページから他のページに遷移させるための操作が行われるなどして、定周期モード対応の給水計画策定ページの表示が終了されることに応じて、終了されてよい。
【０１０５】
図１４のフローチャートは、ステップＳ１０４の給水計画策定処理として、週周期モードの給水計画策定ページが表示された状態での給水計画策定処理の手順例を示している。
同図のステップＳ３０１、Ｓ３０３〜Ｓ３０７の処理は、それぞれ、図１３のステップＳ２０１、Ｓ２０３〜Ｓ２０７と同様となることから、ここでの説明は省略する。
ステップＳ３０２：給排水計画策定部６２１は、曜日設定エリアＡＲ２１に対して行われる、給水日とする曜日を選択する操作（曜日選択操作）に応じて、選択された曜日を、給水計画パラメータにおける曜日パラメータとして設定する。
【０１０６】
また、ステップＳ３０１〜Ｓ３０６の処理は、対応のエリアに対する操作が行われない場合には省略される。また、ステップＳ３０１〜Ｓ３０６間での処理順も、ユーザが、操作したエリアの順に応じて適宜変更されるものである。
【０１０７】
ステップＳ３０８：ステップＳ３０７にて更新ボタンＢＴ２に対する操作（更新指示操作）が行われたことが判定された場合、給排水計画策定部６２１は、以下の処理を実行する。
つまり、給排水計画策定部６２１は、現在において設定されている、曜日パラメータ、開始日パラメータ、開始時刻パラメータ、給水時間パラメータ、開度パラメータを含む給水計画パラメータを生成する。給排水計画策定部６２１は、現在において設定されている策定対象の給水栓１００の水栓装置識別子に、生成された給水計画パラメータを対応付けて、栓単位給排水計画情報を生成する。給排水計画策定部６２１は、生成された栓単位給排水計画情報を圃場管理サーバ５００に送信する。
【０１０８】
同図の処理は、現在の週周期モード対応の給水計画策定ページから他のページに遷移させるための操作が行われるなどして、週周期モード対応の給水計画策定ページの表示が終了されることに応じて、終了されてよい。
【０１０９】
図１５のフローチャートは、ステップＳ１０４の給水計画策定処理として、カレンダーモードの給水計画策定ページが表示された状態での給水計画策定処理の手順例を示している。
ステップＳ４０１：給排水計画策定部６２１は、水栓装置選択エリアＡＲ１１に対して行われる、給水栓選択の操作（給水栓選択操作）に応じて、策定対象の給水栓を設定する。
【０１１０】
ステップＳ４０２：給排水計画策定部６２１は、給水日追加操作に応じて、年月日として指定された１の日付を、給水日パラメータに含める（追加する）。給水日追加操作は、先に図１１を参照して説明したように、日付選択エリアＡＲ３１に対する操作により年月日による日付を選択したうえで、追加ボタンＢＴ１１を操作するというものであってよい。
【０１１１】
ステップＳ４０３：給排水計画策定部６２１は、給水日削除操作に応じて、ステップＳ４０２により給水日パラメータに追加済みの日付のうちから、指定された日付を削除する。給水日削除操作は、先に図１１を参照して説明したように、日付選択エリアＡＲ３１に対する操作により削除対象の日付を選択する操作したうえで、削除ボタンＢＴ１２を操作するというものであってよい。
【０１１２】
同図のステップＳ４０４〜Ｓ４０７の処理は、それぞれ、図１３のステップＳ２０４〜Ｓ２０７と同様となることから、ここでの説明は省略する。
【０１１３】
ステップＳ４０８：ステップＳ４０７にて更新ボタンＢＴ２に対する操作（更新指示操作）が行われたことが判定された場合、給排水計画策定部６２１は、以下の処理を実行する。
つまり、給排水計画策定部６２１は、現在において設定されている、給水日パラメータ、開始時刻パラメータ、給水時間パラメータ、開度パラメータを含む給水計画パラメータを生成する。給排水計画策定部６２１は、現在において策定対象として設定されている給水栓１００の水栓装置識別子に、生成された給水計画パラメータを対応付けて、栓単位給排水計画情報を生成する。給排水計画策定部６２１は、生成された栓単位給排水計画情報を圃場管理サーバ５００に送信する。
【０１１４】
同図の処理は、現在のカレンダーモード対応の給水計画策定ページから他のページに遷移させるための操作が行われるなどして、カレンダー周期モード対応の給水計画策定ページの表示が終了されることに応じて、終了されてよい。
【０１１５】
＜変形例＞
以下、本実施形態の変形例について説明する。
［第１変形例］
前述のように、本実施形態のように不定間隔で給水日を設定可能なことにより、土地改良区が圃場ＦＭに対して指定する給水許可時期を遵守可能なようにして柔軟に給水日を設定することが可能となる。
しかしながら、例えばユーザが、給水許可時期を勘違いしていたりしたために、給水許可時期を遵守できないような給水日による給水計画を策定してしまうような場合がある。
【０１１６】
そこで、本実施形態の変形例としては、ユーザが圃場管理端末６００を操作して策定しようとした給水計画が、給水許可時期を遵守できないものである場合には、圃場管理端末６００によりユーザに向けて、給水許可時期を遵守できない給水計画であることの報知が行われるようにされてよい。
【０１１７】
このためには、例えば、圃場管理サーバ５００は、圃場管理端末６００から栓単位給排水計画情報を受信したことに応じて、土地改良区が運営する外部管理サーバ８００に、給水時期確認要求を送信する。給水時期確認要求は、受信された栓単位給排水計画情報により示される給水時期が、対応のユーザに対して割り振られた給水許可時期を遵守したものであるか否かの確認を要求するコマンドである。
外部管理サーバ８００は、受信された給水時期確認要求により示される給水時期について、対応のユーザに割り振った給水許可時期を遵守できているか否かについて判定し、判定結果を圃場管理サーバ５００に送信する。
【０１１８】
圃場管理サーバ５００は、受信された判定結果が給水許可時期を遵守できていないことを示している場合には、給水計画策定エラーを圃場管理端末６００に送信する。給水計画策定エラーを受信した圃場管理端末６００は、給水許可時期を遵守できない給水計画であったために給水計画策定エラーとなったことの報知を、現在表示中の給水計画策定ページ上で、例えばダイアログウィンドウの表示などによって行う。また、圃場管理端末６００は、給水計画策定エラーとなったことの報知を、電子メールの送信やＳＮＳでのプッシュ通知などにより行うことで、ユーザが、自分の所持する携帯端末等で給水計画策定エラーの発生を把握できるようにしてよい。
また、土地改良区が運営する外部管理サーバ８００から圃場管理サーバ５００や圃場管理端末６００に対して給水時期通知を送信し、策定された給水計画が送信された給水時期通知により示される給水許可時期を遵守できているか否かについて判定し、判定結果が給水許可時期を遵守できていない場合には、給水計画策定エラーを圃場管理端末６００に表示させる。
これにより、ユーザは、自分が策定しようとした給水計画が給水許可時期を遵守できていないことを把握して、例えば給水計画を策定し直すことができる。
【０１１９】
［第２変形例］
定周期モードにおいては、例えば日にち間隔だけではなく、例えば１８時間おき、といったように、時間間隔による設定が可能なようにされてよい。このような時間間隔による設定も、例えば土地改良区等が指定する給水許可時期によっては、給水許可時期に合わせた給水計画を策定することが可能になる。
【０１２０】
［第３変形例］
上記実施形態においては、圃場管理端末６００を操作することで給水計画を策定する例を挙げた。しかしながら、携帯端末４０をユーザ（作業者ＷＫ）が操作することによっても、同様に給水計画の策定が行えるようにされてよい。
【０１２１】
［第４変形例］
上記実施形態においては、給水栓１００を対象として、給水計画を策定する場合を例に挙げた。しかしながら、排水栓２００を対象として、給水計画と同様にして排水計画が策定可能なように構成されてもよい。
そのうえで、上記のように給水計画と排水計画とを策定可能とされた場合、圃場管理サーバ５００は、同じ圃場ＦＭに対応して策定された給水計画と排水計画とを対比させ、設定日において給水の時間帯と排水の時間帯とが重複しているか否かを判定してよい。給水の時間帯と排水の時間帯とが重複していた場合、圃場管理サーバ５００は、圃場管理端末６００や携帯端末７００にて、その旨を警告する報知が行われるように制御を行ってよい。このような報知を受けてユーザが給水、排水の時間帯が互いに重複しないように給水計画や排水計画を設定し直すことで、用水が無駄に使用されてしまうことを防止できる。
【０１２２】
［第５変形例］
上記実施形態においては、水栓装置単位で給排水計画情報が策定される例を示した。しかしながら、例えば、給排水計画情報は、例えば圃場単位で策定されてよい。圃場単位で策定される給排水計画情報の場合には、例えば、同じ圃場ＦＭに設置される給水栓１００または排水栓２００に対して共通の給水計画または排水計画が適用されるようにしてよい。
【０１２３】
［第６変形例］
上記実施形態においては、ユーザが、圃場管理端末６００にて表示させた給排水計画策定用のウェブページに対する操作を行うことによって給排水計画を策定する例を挙げた。
これに対して、本変形例では、ＡＩ（Artificial Intelligence：人工知能）を利用した技術により給排水計画の策定が行われるようにされる。即ち、本変形例では、機械学習、あるいはディープラーニング等により構築された学習モデルを用いて、給排水計画の策定が行われるようにされてよい。なお、このようなＡＩによる給排水計画の策定のもとでは、灌漑制御の目標値としての水位（目標水位）についても設定されるようにしてよい。
また、本変形例において、ＡＩによる給排水計画策定機能は、圃場管理サーバ５００、圃場管理端末６００、外部管理サーバ８００のいずれが備えてもよいし、これらの装置とは別に給排水計画設定用のサーバを設けてもよい。以下の説明では、圃場管理サーバ５００がＡＩによる給排水計画策定機能を有するようにされた場合を例に挙げる。
【０１２４】
本変形例の圃場管理サーバ５００が、ＡＩによる給排水計画策定機能を有する場合には、例えば以下のようにして学習モデルを構築してよい。
教師あり学習に対応する場合を例に挙げると、圃場管理サーバ５００は、上記実施形態のようにして、ユーザによる操作に応じて設定された給排水計画（水栓装置（１００、２００）の給排水スケジュールや、目標水位、栓部の開度、栓部の開時間（栓部が開状態となる継続時間））を教師データとして取得してもよい。また、圃場管理サーバ５００は、圃場ＦＭにて設置されたセンサから取得された水位や水温、用水使用量、肥料分布などの圃場情報や、圃場ＦＭにおいて収穫された作物の収量や作物が有する水分量、タンパク量、成長度などの作物情報を、給排水計画の実行結果として給排水計画と紐づけた内容を教師データとして取得してもよい。
さらに、圃場管理サーバ５００は、環境情報（例えば、天気、現在水位、現在水温、水分量、肥料分布等の情報）、圃場情報（例えば、水栓装置名、水栓装置が備える栓部の形態、栓部の種類、栓部の流量、栓部の口径、水栓装置の個数、水栓装置の位置情報、圃場ＦＭの位置情報、位置情報に基づく測位情報、圃場ＦＭの面積、圃場ＦＭ周辺の地域に関する情報、土地改良区に関する情報、土地改良区の指定する給水期間等）、作物情報（品種、生育状況等）、作業情報（育苗、代掻き、田植え、農薬散布、給排水、収穫などの年間の作業に関する情報）を取得し、取得された情報を教師データに含めてよく、上記の給排水計画やその実行結果を教師データとして取得する際に、給排水計画の策定時点や給排水実行の開始時点及び終了時点、さらにその前後の環境情報をも同時に取得して紐づけて取得することが好ましい。また、圃場管理サーバ５００は、例えばユーザにこれらの情報を入力してもらうことを促す案内が、圃場管理端末６００や携帯端末７００にて報知されるようにしてよい。例えば水田としての圃場ＦＭの水位は、代掻き、深水管理、浅水管理、間断灌水、中干し、落水のほか、冷害や高温障害への対策等の多様な条件に応じて変更することが行われる。このようなことを考慮して、所定の条件ごとに対応する水位設定が反映された複数の教師データを用意してよい。そのうえで、例えばユーザが、これらの複数の教師データのうちから、現在における実際の状況に対応した教師データを、学習に用いる教師データとして選択できるようにしてよい。
また、教師データの選択については、以下のようにして行われてもよい。つまり、例えばユーザが、通年の給排水計画と実績の一覧等を参照し、代表的な日にちにおける給排水管理を、学習に利用させる教師データとして選択できるようにしてよい。あるいは、通年の給排水計画と実績の全てが、学習に利用させる教師データとなるようにされてもよい。
【０１２５】
圃場管理サーバ５００の制御部５０２は、上記のように取得した教師データを記憶部５０３に記憶させたうえで、記憶された教師データに基づいて学習モデルを構築する。この場合、本実施形態の圃場管理システムは、学習モデル構築装置を備え、上記の学習モデルを構築するための学習モデル構築方法を実行するようにされてよい。あるいは、圃場管理サーバ５００等において、上記の学習モデルを構築するための学習モデル構築方法を実行する学習モデル構築部が備えられてもよい。また、学習モデルについては、例えば外部で構築されたものを圃場管理サーバ５００にアップロードするようにされてもよい。
【０１２６】
制御部５０２は、例えば給水計画策定に用いる所定の入力データを取得する。入力データには、例えば、現在の日時、気象、圃場ＦＭ内のセンサにより検出された水位、水温等の情報、上記の教師データと同じ作物情報、圃場情報、作業情報、環境情報などが含まれてよい。
制御部５０２は、入力データを学習モデルに入力し、最適とされる給排水計画を出力（策定）する。例えば、圃場情報として入力された圃場面積と日時や作業計画などに基づいて、圃場ＦＭに求められる給排水量や給排水時間及びそれに必要な開栓時間や開度を出力させる。
具体例として、制御部５０２は、例えば入力データとして目標水位を学習モデルに入力することにより、栓部の開度と、開度に応じた予想給排水時間または予想終了時刻を学習モデルにより出力させることができる。この場合、学習モデルは、圃場ＦＭにおける過去の開時間、開度、水位の実績に基づいて、上記の開度、予想給排水時間または予想終了時刻を出力できる。また、例えば、学習モデルは、給排水計画策定対象の圃場ＦＭと面積等をはじめとする所定の条件が類似する他の圃場についての、開度、開時間、水位等の実績データと、特定の開度を設定した場合に対応する単位面積当たりの水位上昇と、そのときの開時間等を教師データとしても、学習モデルは、上記と同様に、開度、予想給排水時間または予想終了時刻等を出力できる。
また、学習モデルは、排水の際の栓部の開度と目標水位とが入力されることに応じて、目標終了時刻を出力し、制御部５０２は、例えば圃場管理端末６００や携帯端末７００にて目標終了時刻が表示されるようにしてよい。
また、学習モデルは、水栓装置（１００、２００）の開度情報を入力し、圃場ＦＭにおける用水の入れ替え完了に要する所要時間や完了時刻を出力するようにされてよい。制御部５０２は、出力された上記の所要時間や完了時刻が圃場管理端末６００や携帯端末７００にて表示されるようにしてよい。
【０１２７】
本実施形態のもとでは、学習モデル構築装置あるいは学習モデル構築部により、圃場面積等の圃場に関する情報、気象をはじめとする環境に関する環境情報、作物情報、作業情報、水栓装置における栓部の開度の情報、開時間の情報等を組み合わせた教師データとして用いて学習モデルを構築することができる。
本実施形態のように、給排水計画において不定の時間間隔による給排水の実行タイミングを指定可能とされている場合、状況等によってはユーザが適切に給排水計画を策定することが難しい場合がある。そこで、例えば圃場管理サーバ５００等が、上記のようにして構築された学習モデルを用いることで、適切な給排水の時間間隔や栓部の開度による給排水計画を策定し、ユーザに提示することが可能となる。
【０１２８】
なお、このような教師あり学習による給排水計画策定のアルゴリズムは、上記の例に限定されない。例えば、圃場管理サーバ５００が、入力データを取得し、取得した入力データに適合する学習モデルを、予め構築されて記憶部５０３等に記憶された複数の学習モデルのうちから選択し、選択された学習モデルに取得された入力データを入力して給排水計画を出力するようにされてもよい。
また、例えば、ユーザが良好であったと判断した給排水計画の策定結果については、例えば、圃場管理端末６００や携帯端末７００等に対する操作によって、計画が対応する日付、環境等の情報とともに圃場管理サーバ５００に保存可能なようにされてよい。
【０１２９】
また、本変形例のＡＩによる給排水計画策定機能としては、教師なし学習としての学習モデルが適用されてよい。
この場合、圃場管理サーバ５００の制御部５０２は、例えば現在日時、前述の環境情報、圃場情報、作物情報、作業情報等を学習モデルに入力して給排水計画を出力するようにされる。
【０１３０】
また、上記のように教師あり学習または教師なし学習により学習モデルを用いて給排水計画を策定するにあたり、学習モデルを取得する際には、圃場管理サーバ５００は、給排水計画の策定の対象となる圃場ＦＭや水栓装置（１００、２００）等を特定する識別子（ＩＤ）、名称等、取得時の日時、作物情報、作業の進捗状況、気象情報等を取得するようにされてよい。このような情報は、圃場管理サーバ５００が記憶している各種情報（図４）から取得したり、圃場管理端末６００や携帯端末７００にユーザが入力した情報を取得したり、気象情報サーバ等をはじめとする外部のサーバから取得したりしてよい。
また、圃場管理サーバ５００は、管理下にある圃場ＦＭや圃場管理者ごとに対応して構築された教師データを記憶したうえで、これらの教師データがユーザ間で共有されるようにしてよい。これにより、例えば１のユーザが、自分が管理している以外の圃場ＦＭの教師データや、他の圃場管理者の教師データを導入して、自己の圃場ＦＭの給排水計画の策定を行わせるようにすることができる。
また、圃場管理サーバ５００は、策定した給排水計画に従って自動的に圃場ＦＭにおける給排水の制御を行うようにしてもよいし、策定した給排水計画に従った給排水の制御の実行の可否をユーザが決定できるようにしてよい。この場合、圃場管理サーバ５００は、策定した１または複数の給排水計画を、ユーザの圃場管理端末６００や携帯端末７００にて提示するようにしてよい。ユーザは、例えば現在の環境や作物の状況等に鑑みて、提示された給排水計画を採用するのか、また、採用する場合にはいずれの給排水計画を採択するのかを、圃場管理端末６００や携帯端末７００に対する操作によって指定可能とされてよい。
また、圃場管理サーバ５００が取得する教師データや、教師データに基づく学習モデルについては、例えば作物品種や作物育成方針（無農薬、収量重視、味重視など）に対応して、複数のものが提供されるようにしてよい。そのうえで、例えばユーザが、圃場管理端末６００や携帯端末７００に対する操作によって、作物品種、作物育成方針等を入力したことに応じて、圃場管理サーバ５００が、教師データを選択し、選択された教師データにより学習モデルを構築するようにしてよい。
また、圃場管理サーバ５００が策定した給排水計画（目標水位の設定を含む）の各種項目について、ユーザが圃場管理端末６００や携帯端末７００に対する操作により、手動で変更できるようにされてよい。この際には、例えば参考情報として、過去の同時期、同日の水位、生育状況、品種等の情報が圃場管理端末６００や携帯端末７００にてユーザに向けて提示されるようにしてよい。
また、例えば農作業日誌作成システム等をはじめ、本実施形態の圃場管理システム以外のシステムにより策定され、外部に提供されている給排水計画を、例えば圃場管理サーバ５００が取得できるようにしてよい。
また、土地改良区等により給水時期が指定されている場合、給排水計画策定年度における給水時期は前年度の給水時期と異なるため、学習モデルにより出力される給排水計画には、土地改良区等が圃場ＦＭに対して指定する給水許可時期が反映される必要がある。そこで、圃場管理サーバ５００は学習モデルに土地改良区等が運営する外部管理サーバ８００から給水時期を取得したり、外部管理サーバ８００から送信される給水時期通知に基づいて給排水計画を策定するようにしてもよい。
【０１３１】
なお、ＡＩによることなく、例えば圃場管理サーバ５００が予め記憶する多数の給排水計画のうちから、ユーザが、自己の管理する圃場ＦＭに適合する給排水計画を検索し、検索された給排水計画を自己の管理する圃場ＦＭに適用可能なように構成されてもよい。
【０１３２】
［第７変形例］
また、例えばＡＩを用いない先の実施形態においても、例えば圃場管理サーバ５００等が、所定の条件を入力したことに応じて、給排水計画の策定に関する所定の事項を導出可能とされてよい。
例えば、圃場管理サーバ５００は、圃場ＦＭの面積（圃場面積）、水栓装置（１００、２００）の開度に応じた給排水量等を条件として入力して、圃場ＦＭに求められる給排水量や給排水時間及びそれに必要な開栓時間や開度等の情報を算出し、算出した情報を圃場管理端末６００や携帯端末７００にて表示等により提示するようにされてよい。ユーザは、提示された情報を給排水計画の策定に用いたり、給排水計画策定の参考にしたりすることができる。
【０１３３】
なお、上述の水栓装置（１００、２００）、圃場管理端末６００、圃場管理サーバ５００、携帯端末７００、外部管理サーバ８００等の機能を実現するためのプログラムをコンピュータ読み取り可能な記録媒体に記録して、この記録媒体に記録されたプログラムをコンピュータシステムに読み込ませ、実行することにより上述の水栓装置（１００、２００）、圃場管理端末６００、圃場管理サーバ５００、携帯端末７００、外部管理サーバ８００等に応じた処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１３４】
１００  給水栓、２００  排水栓、５００  圃場管理サーバ、５０１  通信部、５０２  制御部、５０３  記憶部、５３１  水栓装置情報記憶部、５３２  給排水計画情報記憶部、５３３  ユーザ情報記憶部、６００  圃場管理端末、６０１  ネットワーク対応通信部、６０２  制御部、６０３  記憶部、６０４  操作部、６０５  表示部、６２１  給排水計画策定部、７００  携帯端末、８００  外部管理サーバ
【図１】
2020162597.tif 000003
【図２】
2020162597.tif 000004
【図３】
2020162597.tif 000005
【図４】
2020162597.tif 000006
【図５】
2020162597.tif 000007
【図６】
2020162597.tif 000008
【図７】
2020162597.tif 000009
【図８】
2020162597.tif 000010
【図９】
2020162597.tif 000011
【図１０】
2020162597.tif 000012
【図１１】
2020162597.tif 000013
【図１２】
2020162597.tif 000014
【図１３】
2020162597.tif 000015
【図１４】
2020162597.tif 000016
【図１５】
2020162597.tif 000017